(57)【特許請求の範囲】
【請求項１】
光学記録媒体へのレーザ光の照射や光学記録媒体で反射されたレーザ光の受光等を行う各種の光学部品を有する複数の光学ブロックと、
対物レンズを支持すると共に上記複数の光学ブロックに各別に対応する複数の２軸アクチュエータと、
該複数の２軸アクチュエータを支持する一つのベース体と、
該ベース体を光学記録媒体の半径方向に移動させる送り機構とを備え、
上記複数の２軸アクチュエータは、上記送り機構による移動時に各対物レンズの一方が上記光学記録媒体の半径に対向して移動し、他方は該半径と平行に移動する
ことを特徴とする光学記録媒体の記録及び／又は再生装置に用いられる光学ピックアップ。
【請求項２】
光学記録媒体へのレーザ光の照射や光学記録媒体で反射されたレーザ光の受光等を行う各種の光学部品を有する複数の光学ブロックと、対物レンズを支持すると共に上記複数の光学ブロックに各別に対応する複数の２軸アクチュエータと、該複数の２軸アクチュエータを支持する一つのベース体と、該ベース体を光学記録媒体の半径方向に移動させる送り機構とを有する光学ピックアップと共に、
フォーマットを異にする複数の種類の光学記録媒体の種類を判別する判別手段を備え、
上記複数の２軸アクチュエータは、上記送り機構による移動時に各対物レンズの一方が上記光学記録媒体の半径に対向して移動し、他方は該半径と平行に移動する
ことを特徴とする光学記録媒体の記録及び／又は再生装置。
【発明の詳細な説明】
【０００１】
【発明の属する技術分野】
本発明は、光学記録媒体の記録及び／又は再生装置及びそれに用いられる光学ピックアップに関する。詳しくは、フォーマットを異にする複数の種類の光学記録媒体に対する互換性を確保すると共に当該装置の小型化を図る技術に関する。
【０００２】
【従来の技術】
光学記録媒体には、例えば、ＣＤ（コンパクトディスク）やＤＶＤ（デジタルビデオディスク）やＣＤ−Ｒ（コンパクトディスクレコーダブル）等があり、これらの物理的特性、即ち、直径、重量、厚さ等は同一であるが、それぞれ、例えば、次のような異なったフォーマットを有している。
【０００３】
ＣＤとＣＤ−Ｒはディスク基板の主面から１．２ｍｍの位置に信号記録面があるが、ＤＶＤの信号記録面はディスク基板の主面から０．６ｍｍの位置にある。また、ＣＤ−ＲはＣＤやＤＶＤと異なり波長依存性のある有機色素層を有している。
【０００４】
このようにＣＤ、ＣＤ−ＲとＤＶＤとでは信号記録面の位置が異なっているため、レーザ光のスポットの絞り込みの関係からＣＤ、ＣＤ−ＲとＤＶＤとの間で同一の対物レンズを用いて再生等をすることが困難である。また、波長依存性のある有機色素層を有するＣＤ−Ｒにあっては、ＣＤ、ＤＶＤと同じ６５０ｎｍ以下のレーザ光を使用しても正確な情報信号の再生等をすることができない。
【０００５】
従って、これらの光学記録媒体について記録及び／又は再生をしようとするときには、通常、フォーマットを異にする光学記録媒体に各別に対応する装置を用意しなければならないという不都合がある。
【０００６】
そこで、かかる不都合を解消すべく、上記した異なるフォーマットを有する光学記録媒体について信頼性の高い情報信号の記録及び／又は再生をすることのできる互換性のある装置の開発の要求が高まり、近年の上記した光学記録媒体の普及に伴いその必要性が一層高いものとなっている。
【０００７】
このような互換性を有する装置としては、例えば、これらの光学記録媒体の種類の数に応じて複数の光学ピックアップを搭載した装置、即ち、レーザ光の照射、受光等を行う各種の光学部品を有する光学ブロックと、対物レンズを有する２軸アクチュエータと、該２軸アクチュエータを支持するベース体と、該ベース体を移動させる送り機構等を各別に備える複数の光学ピックアップを搭載した光学記録媒体の記録及び／又は再生装置が考慮されている。
【０００８】
【発明が解決しようとする課題】
ところが、上記のような複数の光学ピックアップが搭載された装置にあっては、２軸アクチュエータを支持する各別のベース体を備えるため、装置自体が大型化、大重量化し、例えば、高速駆動が困難となってしまう等の問題があり、実用化には至っていない。
【０００９】
そこで、本発明光学記録媒体の記録及び／又は再生装置及びそれに用いられる光学ピックアップは、上記した問題点を克服し、光学記録媒体の記録及び／又は再生装置において、フォーマットを異にする複数の種類の光学記録媒体に対する互換性を確保すると共に当該装置の小型化を図ることを課題とする。
【００１０】
【課題を解決するための手段】
本発明光学記録媒体の記録及び／又は再生装置に用いられる光学ピックアップは、上記した課題を解決するために、光学記録媒体へのレーザ光の照射や光学記録媒体で反射されたレーザ光の受光等を行う各種の光学部品を有する複数の光学ブロックと、対物レンズを支持すると共に上記複数の光学ブロックに各別に対応する複数の２軸アクチュエータと、該複数の２軸アクチュエータを支持する一つのベース体と、該ベース体を光学記録媒体の半径方向に移動させる送り機構とを備え、上記複数の２軸アクチュエータは、上記送り機構による移動時に各対物レンズの一方が上記光学記録媒体の半径に対向して移動し、他方は該半径と平行に移動するものである。
【００１１】
また、本発明光学記録媒体の記録及び／又は再生装置は、上記した課題を解決するために、上記光学ピックアップと共に、フォーマットを異にする複数の種類の光学記録媒体の種類を判別する判別手段を備えたものである。
【００１２】
従って、本発明光学記録媒体の記録及び／又は再生装置及びそれに用いられる光学ピックアップにあっては、フォーマットを異にする光学記録媒体について一の装置で信頼性の高い情報信号の記録及び／又は再生が可能であり、また、装置のコンパクトな設計が可能である。
【００１３】
【発明の実施の形態】
以下に、本発明光学記録媒体の記録及び／又は再生装置及びそれに用いられる光学ピックアップの実施の形態を添付図面に示した実施例に従って説明する。
【００１４】
尚、図示した実施例は、本発明をＣＤとＤＶＤに対する互換性を有する装置及びそれに用いられる光学ピックアップに適用したものである。
【００１５】
光学記録媒体の記録及び／又は再生装置（以下、単に「装置」という。）１内にはスピンドルモータ２が配置され、その上側にはスピンドルモータ２の回転によって回転されるターンテーブル３が設けられている。そして、ターンテーブル３上には光学記録媒体（ＣＤ又はＤＶＤ）４が載置され、該光学記録媒体４がターンテーブル３の回転に伴って回転されるようになっている。
【００１６】
装置１内には一の光学ピックアップ５が設けられ、該光学ピックアップ５は２つのピックアップ部６、７と後述する２軸アクチュエータを支持するベース体８と、該ベース体８を光学記録媒体の半径方向に移動させる送り機構９とから成る。
【００１７】
図１で見て左側に位置するピックアップ部６は後述する各種の光学部品を有する光学ブロック１０と対物レンズ１１を支持した２軸アクチュエータ１２とを備え、図１で見て右側に位置するピックアップ部７は後述する各種の光学部品を有する光学ブロック１３と対物レンズ１４を支持した２軸アクチュエータ１５とを備えている。そして、ピックアップ部６はＣＤのフォーマットに対応しその再生に係るものであり、ピックアップ部７はＤＶＤのフォーマットに対応しその再生に係るものであり、ピックアップ部６、７は装置１に装着されたＣＤ又はＤＶＤに対応して択一的に駆動するようにされている。
【００１８】
ＣＤ再生用の光学ブロック１０は半導体レーザ１６とビームスプリッタ１７とディテクタ１８とを含む各種の光学部品により構成されている。また、ＤＶＤ再生用の光学ブロック１１は半導体レーザ１９とビームスプリッタ２０とディテクタ２１とを含む各種の光学部品により構成されている。
【００１９】
２軸アクチュエータ１２、１５はそれぞれ固定側部材１２ａ、１５ａと該固定側部材１２ａ、１５ａに図示しないリンク部材を介して支持された可動側部材１２ｂ、１５ｂとを備え、該可動側部材１２ｂ、１５ｂの先端部にそれぞれ上記対物レンズ１１、１４が支持されている。
【００２０】
ベース体８は上記光学ブロック１０、１３の上側に位置され、平面で見て長方形状の略板状を為している。そして、短手方向の両側縁には被案内部８ａ、８ｂが設けられ、該被案内部８ａ、８ｂがそれぞれ案内軸２２と基軸２３に摺動自在に支持されている。しかして、ベース体８はこれらの被案内部８ａ、８ｂと案内軸２２と基軸２３とベース体８を移動させるための図示しない駆動部とから成る送り機構９によって光学記録媒体４の半径方向、即ち、図２に示す半径Ｒと平行に移動されるようになっている。
【００２１】
２軸アクチュエータ１２、１５は、それぞれが支持した対物レンズ１１、１４が近接する向きでベース体８の上面側に配設され、上記光学ブロック１０、１３のビームスプリッタ１７、２０の真上に上記２軸アクチュエータ１２、１５に支持された対物レンズ１１、１４が位置するようにされている。そして、ＤＶＤ用の２軸アクチュエータ１５は上記した送り機構９によるベース体８の移動時に、支持した対物レンズ１４が光学記録媒体４の一の半径、即ち、図２に示す半径Ｒに対向して移動するようにベース体８上に位置されている。尚、ＣＤ用の２軸アクチュエータ１２に支持された対物レンズ１１は、ベース体８の移動時に半径Ｒと平行に移動することになる。
【００２２】
尚、上記した光学ブロック１０、１３は、送り機構９による２軸アクチュエータ１２、１５の移動に伴って移動するようにされており、常に光学ブロック１０、１３のビームスプリッタ１７、２０の真上にそれぞれ対物レンズ１１、１４が位置するようになっている。
【００２３】
しかして、ＣＤの再生時には以下のようにＣＤ再生用のピックアップ部６が駆動される。
【００２４】
光学ブロック１０の半導体レーザ１６からビームスプリッタ１７に向けてレーザ光が出射され、該レーザ光はビームスプリッタ１７によって上方へ向けて反射される。上方へ向けて反射されたレーザ光は２軸アクチュエータ１２の対物レンズ１１へ向かい、該対物レンズ１１により集光性を与えられてその上方に位置する光学記録媒体４、即ち、ＣＤの記録面に達する。
【００２５】
そして、このとき２軸アクチュエータ１２の可動側部材１２ｂが固定側部材１２ａに対してフォーカシング方向及びトラッキング方向に移動されることにより、レーザ光の合焦位置及び記録面上のスポット位置の調整、即ち、フォーカシング調整及びトラッキング調整が行われる。
【００２６】
また、同時に、レーザ光のスポットがＣＤの記録トラックに追従するように、２軸アクチュエータ１２が送り機構９によるベース体８の移動に伴ってＣＤの内周側から外周側に送られる。
【００２７】
ＣＤの記録面に照射されたレーザ光は該記録面で反射され再び対物レンズ１１を経てビームスプリッタ１７ヘ向かい、該ビームスプリッタ１７を透過してディテクタ１８に導かれてＣＤに記録された記録信号の読み取りが為され、該記録信号に応じた再生信号が図示しない再生回路へ出力されＣＤの再生が行われる。
【００２８】
尚、同時にディテクタ１８においては、戻り光に含まれるフォーカシングエラー信号及びトラッキングエラー信号の読取も行われる。
【００２９】
また、ＤＶＤの再生時には以下のようにＤＶＤ再生用のピックアップ部７が駆動される。
【００３０】
光学ブロック１３の半導体レーザ１９からビームスプリッタ２０に向けてレーザ光が出射され、該レーザ光はビームスプリッタ２０によって上方へ向けて反射される。上方へ向けて反射されたレーザ光は２軸アクチュエータ１５の対物レンズ１４へ向かい、該対物レンズ１４により集光性を与えられてその上方に位置するＤＶＤの記録面に達する。
【００３１】
そして、このとき２軸アクチュエータ１５の可動側部材１５ｂが固定側部材１５ａに対してフォーカシング方向及びトラッキング方向に移動されることにより、上記ＣＤの再生時と同様のフォーカシング調整及びトラッキング調整が行われる。
【００３２】
尚、トラッキング調整におけるトラッキングサーボに用いる方法としては、３スポット法や１ビーム法等がある。そして、光学記録媒体について信頼性の高い情報信号の再生等を行うには、３スポット法では２軸アクチュエータに支持された対物レンズが光学記録媒体の一の半径に対向して移動する必要があり、１ビーム法では必ずしも対物レンズが光学記録媒体の一の半径に対向して移動する必要はなく該半径に平行に移動する場合でも用いることが可能であることが知られている。
【００３３】
従って、上記に示したＤＶＤ再生用の対物レンズ１４が光学記録媒体４の一の半径Ｒに対向して移動しＣＤ再生用の対物レンズ１１が一の半径Ｒに平行に移動するものにあっては、ＤＶＤの再生時におけるトラッキングサーボに用いる方法として３スポット法を用い、ＣＤの再生時におけるそれには１ビーム法、例えば、ＤＰＤ法（位相差検出法）を用いることが望ましい。
【００３４】
フォーカシング調整及びトラッキング調整が行われ、同時に、レーザ光のスポットがＤＶＤの記録トラックに追従するように、ＣＤの再生時と同様に２軸アクチュエータ１５が送り機構９により送られる。
【００３５】
ＤＶＤの記録面に照射されたレーザ光は該記録面で反射され再び対物レンズ１４を経てビームスプリッタ２０ヘ向かい、該ビームスプリッタ２０を透過してディテクタ２１に導かれてＤＶＤに記録された記録信号の読み取りが為され、該記録信号に応じた再生信号が図示しない再生回路へ出力されＤＶＤの再生が行われる。
【００３６】
尚、同時にディテクタ２１においては、戻り光に含まれるフォーカシングエラー信号及びトラッキングエラー信号の読取も行われる。
【００３７】
図３に装置１の概要を示すブロック図を示す。
【００３８】
装置１は光学記録媒体４の種類を判別する判別手段（判別回路）２４とＣＰＵ（中央演算処理装置）２５と該ＣＰＵ２５から送出される信号に応じて各種の制御を行うコントローラ２６とを備えている。
【００３９】
ＣＤが装置１に装着された場合には、例えば、ＣＤのＩＤ（識別ラベル）の読取結果を得て、判別手段２４により装着された光学記録媒体４がＣＤである旨が判別され、判別信号がＣＰＵ２５を経てコントローラ２６に送られる。
【００４０】
送られた判別信号に基づきコントローラ２６からレーザ駆動回路２７及びアクチュエータ駆動回路２８にそれぞれ駆動信号が送られ、ピックアップ部６の半導体レーザ１６及び２軸アクチュエータ１２が駆動される。そして、上記したように半導体レーザ１６からレーザ光が出射され、ディテクタ１８でその戻り光に含まれる記録信号が読み取られＣＤの再生が行われる。
【００４１】
また、ＤＶＤが装置１に装着された場合には、例えば、上記と同様にＤＶＤのＩＤの読取結果を得て、判別手段２４により装着された光学記録媒体４がＤＶＤである旨が判別され、判別信号がＣＰＵ２５を経てコントローラ２６に送られる。
【００４２】
送られた判別信号に基づきコントローラ２６からレーザ駆動回路２９及びアクチュエータ駆動回路３０にそれぞれ駆動信号が送られ、ピックアップ部７の半導体レーザ１９及び２軸アクチュエータ１５が駆動される。そして、上記したように半導体レーザ１９からレーザ光が出射され、ディテクタ２１でその戻り光に含まれる記録信号が読み取られＤＶＤの再生が行われる。
【００４３】
尚、装着された光学記録媒体４がＣＤ、ＤＶＤ何れの場合でも、上記したようにディテクタ１８、２１においては、再生信号の他に戻り光に含まれるフォーカシングエラー信号及びトラッキングエラー信号が検出され、該エラー信号がフォーカシングエラー信号検出回路３１ａ及びトラッキングエラー信号検出回路３１ｂを含むエラー信号検出回路３１に送出される。そして、送られたエラー信号に基づき制御信号がエラー信号検出回路３１から上記アクチュエータ駆動回路２８又はアクチュエータ駆動回路３０に送られ、該制御信号に応じて２軸アクチュエータ１２又は２軸アクチュエータ１５による上記したフォーカシング調整及びトラッキング調整が為されるようになっている。
【００４４】
本発明光学記録媒体の記録及び／又は再生装置及びそれに用いられる光学ピックアップにあっては、上記したようにＣＤ及びＤＶＤにそれぞれ対応するピックアップ部６及びピックアップ部７が設けられている。
【００４５】
従って、フォーマットを異にするＣＤ、ＤＶＤ何れについても信頼性の高い情報信号の再生が可能であり、ＣＤ、ＤＶＤ間の互換性を確保することが出来る。
【００４６】
また、２軸アクチュエータ１２及び２軸アクチュエータ１５を移動させる送り機構９が共通化されているため、装置のコンパクトな設計が可能であり装置の小型化に寄与する。
【００４７】
以下に、図４に示すブロック図に従って判別手段の変形例２４Ａについて説明をする。
【００４８】
判別手段２４Ａは上記した判別手段２４と異なり、ＣＤとＤＶＤにおけるディスク基板の主面から信号記録面までの距離の違いを利用して、何れの光学記録媒体であるかを判別しようとするものである。
【００４９】
光学記録媒体４が装置１に装着されると、該光学記録媒体４がＣＤ、ＤＶＤ何れの場合であってもＣＤ再生用のピックアップ部６及びＤＶＤ再生用のピックアップ部７が駆動される。即ち、コントローラ２６から駆動信号がＣＤ再生用のレーザ駆動回路２７及びＤＶＤ再生用のレーザ駆動回路２９に送出され、レーザ駆動回路２７、２９からそれぞれレーザ光が出射される。
【００５０】
ところが、ここで、装置１に装着された光学記録媒体４の種類によって、一方のピックアップ部６又はピックアップ部７の駆動が適正に為されない状態となる。
【００５１】
例えば、装置１に装着された光学記録媒体４がＣＤであった場合には、ＣＤとＤＶＤにおけるディスク基板の主面から信号記録面までの距離の違いに基づく球面収差の発生により、ＤＶＤのフォーマットに対応して設けられた２軸アクチュエータ１５においては上記したフォーカシング調整及びトラッキング調整が不適正に行わてしまうか、或は、全く行われない状態となる。
【００５２】
フォーカシング調整及びトラッキング調整が不適正に行わた場合には、ＤＶＤ再生用のディテクタ２１において良好でない再生信号が生成され、フォーカシング調整及びトラッキング調整が全く行われなかった場合には、ディテクタ２１において再生信号が生成されない。
【００５３】
一方、ＣＤ再生用のピックアップ部６は適正に駆動されるため、ディテクタ１８において、導かれた戻り光に含まれる記録信号に基づき良好な再生信号が生成される。
【００５４】
ＤＶＤ再生用の２軸アクチュエータ１５においてフォーカシング調整及びトラッキング調整が不適正に行われた場合には、上記した２つの再生信号、即ち、ディテクタ２１で生成された良好でない再生信号及びディテクタ１８で生成された良好な再生信号が判別手段２４Ａに出力され、該判別手段２４Ａにおいて該２つの再生信号に基づいて装置１に装着された光学記録媒体４がＣＤである旨の判別信号が生成され判別手段２４ＡからＣＰＵ２５を経てコントローラ２６に送られる。
【００５５】
また、ＤＶＤ再生用の２軸アクチュエータ１５においてフォーカシング調整及びトラッキング調整が全く行われなかった場合には、ＣＤ再生用のディテクタ１８で生成された良好な再生信号のみが判別手段２４Ａに出力され、該判別手段２４Ａにおいて装置１に装着された光学記録媒体４がＣＤである旨の判別信号が生成され判別手段２４ＡからＣＰＵ２５を経てコントローラ２６に送られる。
【００５６】
そして、判別手段２４Ａから送られた判別信号に基づいてＣＤの再生が良好に行われるようにコントローラ２６から各回路に制御信号が送られる。
【００５７】
また、逆に、装置１に装着された光学記録媒体４がＤＶＤであった場合には、上記と同様に球面収差の発生により、ＣＤのフォーマットに対応して設けられた２軸アクチュエータ１２においてはフォーカシング調整及びトラッキング調整が不適正に行わてしまうか、或は、全く行われない状態となる。
【００５８】
フォーカシング調整及びトラッキング調整が不適正に行わた場合には、ＣＤ再生用のディテクタ１８において良好でない再生信号が生成され、フォーカシング調整及びトラッキング調整が全く行われなかった場合には、ディテクタ１８において再生信号が生成されない。
【００５９】
一方、ＤＶＤ再生用のピックアップ部７は適正に駆動されるため、ディテクタ２１において、導かれた戻り光に含まれる記録信号に基づき良好な再生信号が生成される。
【００６０】
ＣＤ再生用の２軸アクチュエータ１２においてフォーカシング調整及びトラッキング調整が不適正に行われた場合には、ディテクタ１８で生成された良好でない再生信号及びディテクタ２１で生成された良好な再生信号が判別手段２４Ａに出力され、該判別手段２４Ａにおいて装置１に装着された光学記録媒体４がＤＶＤである旨の判別信号が生成され判別手段２４ＡからＣＰＵ２５を経てコントローラ２６に送られる。
【００６１】
また、ＣＤ再生用の２軸アクチュエータ１２においてフォーカシング調整及びトラッキング調整が全く行われなかった場合には、ＤＶＤ再生用のディテクタ２１で生成された良好な再生信号のみが判別手段２４Ａに出力され、該判別手段２４Ａにおいて装置１に装着された光学記録媒体４がＣＤである旨の判別信号が生成され判別手段２４ＡからＣＰＵ２５を経てコントローラ２６に送られる。
【００６２】
そして、判別手段２４Ａから送られた判別信号に基づいてＤＶＤの再生が良好に行われるようにコントローラ２６から各回路に制御信号が送られる。
【００６３】
このように、上記した判別手段２４に代えて判別手段２４Ａを用いる場合にあっても、装置１に装着された光学記録媒体４の種類に応じてその再生が良好に行われることになる。
【００６４】
本発明光学記録媒体の記録及び／又は再生装置及びそれに用いられる光学ピックアップの各別の変形例を図５乃至図７に示す。
【００６５】
尚、これら変形例は上記実施例と比較してベース体への２軸アクチュエータの配置の仕方のみが異なるため、各図にはその要部のみを示し、以下の説明においてはこの変形例が上記実施例と比較して相違する点のみ説明し、上記実施例において説明した部分と同様の部分については、上記実施例における同様の部分に付した符号と同じ符号を付すことによりその説明を省略する。
【００６６】
図５は第１の変形例を示すものである。２軸アクチュエータ１２、１５はそれに支持された対物レンズ１１、１４が近接する向きでベース体８に配設され、ベース体８が光学記録媒体４の半径方向へ送られるときに、２軸アクチュエータ１２の対物レンズ１１が光学記録媒体４の一の半径Ｒ上を移動するように配置されている。
【００６７】
この場合には、ＣＤの再生時におけるトラッキングサーボに用いる方法として３スポット法を用い、ＤＶＤの再生時におけるそれには１ビーム法を用いることが望ましい。
【００６８】
図６は第２の変形例を示すものである。２軸アクチュエータ１２、１５はそれに支持された対物レンズ１１、１４が近接する向きでベース体８に配設され、ベース体８が光学記録媒体４の半径方向へ送られるときに、対物レンズ１１と対物レンズ１４が光学記録媒体４の一の半径Ｒを挟んで移動するように配置されている。
【００６９】
この場合には、ＣＤ及びＤＶＤの再生時におけるトラッキングサーボ機構に用いる方法として何れも１ビーム法を用いることが望ましい。
【００７０】
図７は第３の変形例を示すものである。２軸アクチュエータ１２、１５はそれに支持された対物レンズ１１、１４が光学記録媒体４の一の半径Ｒ上に並んでベース体８に配設され、ベース体８が光学記録媒体４の半径方向へ送られるときに、対物レンズ１１、１４が共に光学記録媒体４の一の半径Ｒ上を移動するように配置されている。
【００７１】
この場合には、ＣＤ及びＤＶＤの再生時におけるトラッキングサーボに用いる方法として何れも３スポット法を用いることが望ましい。
【００７２】
尚、ＣＤとＤＶＤにおいては、ディスクの中心からリードインの外周までの距離がＤＶＤに比しＣＤの方が稍大きくされており、従って、ＤＶＤの内周側の記録面はＣＤのそれよりも内側に形成されている。
【００７３】
そこで、上記第３の変形例においては、図７に示すようにＤＶＤの再生に係る２軸アクチュエータ１５をＣＤの再生に係る２軸アクチュエータ１２の内側に配置し、２軸アクチュエータ１５をディスクの中心に近い側に位置させるようにすることが望ましい。このように配置すれば、ＣＤ、ＤＶＤの内周側の記録面の位置関係と２軸アクチュエータ１２、２軸アクチュエータ１５の位置関係が同じになり、その分送り機構９によるベース体８の移動量が少なくて済み装置１の小型化に寄与する。
【００７４】
尚、上記した実施例及び変形例には、本発明をＣＤとＤＶＤに対する互換性を有する装置及びそれに用いられる光学ピックアップに適用した場合を示したが、これに限らず、本発明を他の光学記録媒体間、例えば、ＣＤとＣＤ−ＲやＤＶＤとＣＤ−Ｒ、或は、ＣＤとＣＤ−ＲとＤＶＤの３者に対する互換性を有する装置及びそれに用いられる光学ピックアップに適用することもできる。
【００７５】
【発明の効果】
以上に記載したところから明らかなように、本発明光学記録媒体の記録及び／又は再生装置に用いられる光学ピックアップは、光学記録媒体へのレーザ光の照射や光学記録媒体で反射されたレーザ光の受光等を行う各種の光学部品を有する複数の光学ブロックと、対物レンズを支持すると共に上記複数の光学ブロックに各別に対応する複数の２軸アクチュエータと、該複数の２軸アクチュエータを支持する一つのベース体と、該ベース体を光学記録媒体の半径方向に移動させる送り機構とを備え、上記複数の２軸アクチュエータは、上記送り機構による移動時に各対物レンズの一方が上記光学記録媒体の半径に対向して移動し、他方は該半径と平行に移動することを特徴とする。
【００７６】
また、本発明光学記録媒体の記録及び／又は再生装置は、光学記録媒体へのレーザ光の照射や光学記録媒体で反射されたレーザ光の受光等を行う各種の光学部品を有する複数の光学ブロックと、対物レンズを支持すると共に上記複数の光学ブロックに各別に対応する複数の２軸アクチュエータと、該複数の２軸アクチュエータを支持する一つのベース体と、該ベース体を光学記録媒体の半径方向に移動させる送り機構とを有する光学ピックアップと共に、フォーマットを異にする複数の種類の光学記録媒体の種類を判別する判別手段を備え、上記複数の２軸アクチュエータは、上記送り機構による移動時に各対物レンズの一方が上記光学記録媒体の半径に対向して移動し、他方は該半径と平行に移動することを特徴とする。
【００７７】
従って、本発明にあっては、フォーマットを異にする光学記録媒体何れについても信頼性の高い情報信号の記録及び／又は再生が可能であり、フォーマットを異にする複数の種類の光学記録媒体に対する互換性を確保することが出来る。
【００７８】
また、複数の２軸アクチュエータを移動させる送り機構が共通化されているため、装置のコンパクトな設計が可能であり装置の小型化に寄与する。
【００７９】
尚、上記した実施例及び変形例に示した各部の形状及び構造は、何れも本発明を実施するに際しての具体化のほんの一例を示したものにすぎず、これらによって本発明の技術的範囲が限定的に解釈されるものであってはならないものである。
【図面の簡単な説明】
【図１】図２及び図３と共に本発明光学記録媒体の記録及び／又は再生装置及びそれに用いられる光学ピックアップの実施の一例を示すものであり、本図は光学ピックアップを示す概略側面図である。
【図２】光学ピックアップを示す概略平面図である。
【図３】光学記録媒体の記録及び／又は再生装置の概要を示すブロック図である。
【図４】判別手段の変形例を示すブロック図である。
【図５】図６及び図７と共に光学記録媒体の記録及び／又は再生装置の変形例の要部を示すものであり、本図は第１の変形例の概略平面図である。
【図６】第２の変形例の概略平面図である。
【図７】第３の変形例の概略平面図である。
【符号の説明】
１…光学記録媒体の記録及び／又は再生装置、４…光学記録媒体、５…光学ピックアップ、８…ベース体、９…送り機構、１０…光学ブロック、１１…対物レンズ、１２…２軸アクチュエータ、１３…光学ブロック、１４…対物レンズ、１５…２軸アクチュエータ、２４…判別手段、２４Ａ…判別手段、Ｒ…半径
【図１】
0003575181.tif 000002
【図２】
0003575181.tif 000003
【図３】
0003575181.tif 000004
【図４】
0003575181.tif 000005
【図５】
0003575181.tif 000006
【図６】
0003575181.tif 000007
【図７】
0003575181.tif 000008